(57)【特許請求の範囲】
【請求項１】
ジャッキベースまたはパイプサポートのプレート部分を保持固定する合成樹脂製または金属製の足場用保持敷板であり、
ほぼ四角形板状の底基体と、表面に前記プレート部分が嵌合される四角形の凹部が設けられ、前記底基体と複数のリブで対接した状態で対向配設され、前記底基板との間に空間を形成して、前記底基板に組み付けられる外形がほぼ四角形の蓋基体とを有することを特徴とする足場用保持敷板。
【請求項２】
前記凹部が、２個の四角形が重畳して形成される八角形であることを特徴とする請求項１記載の足場用保持敷板。
【請求項３】
前記凹部の外側領域の複数位置において、前記底基体と前記蓋基体間には、前記底基体と前記蓋基体とを互いに係合する係合手段が設けられていることを特徴とする請求項１または２記載の足場用保持敷板。
【請求項４】
前記複数のリブがリング状に形成されていることを特徴とする請求項１ないし３のいずれか１項記載の足場用保持敷板。
【請求項５】
前記底基体と前記蓋基体との隅部が曲線状に形成されていることを特徴とする請求項１ないし４のいずれか１項記載の足場用保持敷板。
【発明の詳細な説明】
【０００１】
【発明が属する技術分野】
本発明は、ジャッキベースまたはパイプサポートのプレート部分を保持固定する足場用保持敷板に関する。
【０００２】
【従来の技術】
建築物を構築する際には、足場を組み立てることが必要であり、この足場組立では、図１３に示すような操作バー２で長さを調整したジャツキーベース１のプレート部分３を、厚さがほぼ２０ｍｍの木材製の敷板に釘止めして固定したり、図１４に示すようなパイプサポート５を、調節部６で長さを調節した状態で、プレート部分３を同様に、厚さがほぼ２０ｍｍの木材製の敷板に、釘止めして固定することが行われている。
【０００３】
【発明が解決しようとする課題】
前述の従来の敷板は、木材製で雨などで腐食し易く、建築作業によって、短期間で多量の廃棄物が放出されるという環境汚染の問題がある。また、ジャッキベース１またはパイプサポート５を釘止めする作業が煩雑であるとともに、木材製の敷板はかなり重量があり、所定の積載量での運搬を行う車両を多数台必要とし、運搬コストの上でも問題がある。
【０００４】
本発明は、前述したような足場用敷板の現状に鑑みてなされたものであり、その目的は、ジャッキベースまたはパイプサポートの支持固定が簡単に行われ、かつ軽量に構成される足場用保持敷板を提供することにある。
【０００５】
【課題を解決するための手段】
前記目的を達成するために、本発明の第１の実施態様は、ジャッキベースまたはパイプサポートのプレート部分を保持固定する合成樹脂製または金属製の足場用保持敷板であり、
ほぼ四角形板状の底基体と、表面に前記プレート部分が嵌合される四角形の凹部が設けられ、前記底基体と複数のリブで対接した状態で対向配設され、前記底基板との間に空間を形成して、前記底基板に組み付けられるほぼ四角形板状の蓋基体とを有することを特徴とするものである。
【０００６】
同様に前記目的を達成するために、本発明の第２の実施態様は、第１の実施態様において、前記凹部が、２個の四角形が重畳して形成される八角形であることを特徴とするものである。
【０００７】
同様に前記目的を達成するために、本発明の第３の実施態様は、第１の実施態様において、前記凹部の外側領域の複数位置において、前記底基体と前記蓋基体間には、前記底基体と前記蓋基体とを互いに係合する係合手段が新たに設けられていることを特徴とするものである。
【０００８】
同様に前記目的を達成するために、本発明の第４の実施態様は、第１の実施態様において、前記複数のリブがリング状に形成されていることを特徴とするものである。
【０００９】
同様に前記目的を達成するために、本発明の第５の実施態様は、第１の実施態様において、前記底基体と前記蓋基体との隅部が曲線状に形成されていることを特徴とするものである。
【００１０】
【発明の実施の形態】
本発明の第１の実施態様および第５の実施態様では、合成樹脂製または金属製の足場用保持敷板が、ほぼ四角形板状の底基体と、表面に四角形の凹部が設けられたほぼ四角形板状の蓋基体とで構成され、ジャッキベースまたはパイプサポートのプレート部分が、この凹部に嵌合保持され、蓋基体は、底基体と複数のリブで対接した状態で対向配設され、蓋基体は、底基板との間に空間を形成して、基板に組み付けられる。
【００１１】
また、本発明の第２の実施態様では、合成樹脂製または金属製の足場用保持敷板が、ほぼ四角形板状の底基体と、表面に２個の四角形が重畳して形成された八角形の凹部が設けられたほぼ四角形板状の蓋基体とで構成され、ジャッキベースまたはパイプサポートのプレート部分が、この凹部の何れか一方の四角形に嵌合保持され、蓋基体の凹部位置は、底基体と複数のリブで対接され、蓋基体は、底基板との間に空間を形成して、基板に組み付けられる。
【００１２】
さらに、本発明の第３の実施態様では、凹部の外側領域の複数位置において、底基体と蓋基体間に設けられた係合手段によって、底基体と蓋基体とが互いに堅固に一体的に保持される。
【００１３】
そして、本発明の第４の実施態様では、蓋基体の凹部位置は、リング状のリブとさらに好ましくは四隅近傍に放射状に伸びる一対のリブからなる複数のリブで底基体と広い面積で、強度、特に圧縮強度を増大させて対接する。
【００１４】
【実施例】
［第１の実施例］
本発明の第１の実施例を、図１ないし図３を参照して説明する。
図１は本発明の第１の実施例の構成を示す斜視図、図２は図１の蓋基体のＡ−Ａ断面図、図３は図１の底基体のＡ−Ａ断面図である。
【００１５】
本実施例に係る足場用保持敷板１０は、図１に示すように、表面に四角形の凹部１１が形成された合成樹脂製の蓋基体１２と、この蓋基体１２に嵌合される合成樹脂製の底基体１３とで構成され、蓋基体１２の凹部１１には、図１３に示すジャッキーベース１のプレート部分３、或いは図１４に示すパイプサポート５のプレート部分３が、嵌合保持されるようになっている。ジャッキーベース１或いはパイプサポート５のプレート部分３のサイズは、１４０×１４０ｍｍ、１６０×１６０ｍｍ、２４０×２４０ｍｍの３種の規格が規定されているので、凹部１１のサイズはこれらの規格に合わせて設定されている。この蓋基体１２は、図２に示すように、有底の角筒状に形成され、凹部１１の内部には底基体１３と対接する補強用の複数のリブ１４が突出配設されている。
また、蓋基体１２と同様に有底の角筒状に形成された底基体１３の周縁部には、蓋基体１２の周縁部と嵌合する壁体１５が一体に形成されている。
【００１６】
蓋基体１２と底基体１３との嵌合状態では、複数のリブ１４が底基体１３の内面に当接し、凹部１１に嵌合保持されるジャッキーベース１或いはパイプサポート５の重量に対して、十分な強度が得られるように構成されている。
【００１７】
このような足場用保持敷板１０は、合成樹脂製で雨で腐食することはなく、軽量で一回に多数運搬することができ、現場での足場の組付作業時にも持運び易く、ジャッキーベース１或いはパイプサポート５のプレート部分３を、蓋基体１２の凹部１１に嵌合することにより、簡単にジャッキーベース１或いはパイプサポート５が保持固定され、足場の組立が行われる。
【００１８】
このように、第１の実施例によると、軽量であるために、運搬効率が高まって運搬コストが低減され、ジャッキーベース１或いはパイプサポート５のプレート部分３を、蓋基体１２の凹部１１に嵌合する簡単な作業によって、ジャッキーベース１或いはパイプサポート５を保持固定することができ、現場での作業を能率的に行って施工コストをも低減することが可能になる。また、合成樹脂として再生ポリカーボネート、ポリエチレン樹脂等を使用すると、足場用保持敷板１０自体の製造コストを大幅に削減することが可能になる。
【００１９】
［第２の実施例］
本発明の第２の実施例を、図４を参照して説明する。
図４は本発明の第２の実施例の凹部の形状を示す説明平面図である。
【００２０】
本実施例では、図４に示すように、蓋基体１２に形成される凹部１１が、四角形２０と四角形２１とを重畳して形成される八角形状を有するものである。
【００２１】
この実施例によると、２種の異なる規格のジャッキーベース１或いはパイプサポート５に対して、共通の足場用保持敷板１０を、その凹部１１を構成する２種の四角形の何れか一方を選択することにより、利用することが可能になり、現場での対応に便利であり、製造コストをさらに低減することが可能になる。
【００２２】
［第３の実施例］
本発明の第３の実施例を、図５ないし図１２を参照して説明する。
図５は本発明の第３の実施例の蓋基体の構成を示す側面説明図、図６は本実施例の蓋基体の内面の構成を示す半分の底面図、図７は図６の本実施例の蓋基体の内面を示す平面図、図８は本実施例の底基体の構成を示す側面説明図、図９は本実施例の底基体の外面の構成を示す半分の底面図、図１０は図９の内面を示す平面図、図１１は本実施例の蓋基体の係合片の構成を示す図６のＢ−Ｂ断面図、図１２は本実施例の底基体の係合片の構成を示す図１０のＢ−Ｂ断面図である。
【００２３】
蓋基体１２は、図６の直線Ｃ−Ｃに対して対称に形成されており、蓋基体１２の底基体１３との対向面、すなわち内面には、複数のリブ１４が同心リング状に形成されるとともに、蓋基体１２の四隅近傍には放射状に伸びる各一対のリブ１４ａが形成され、かつ蓋基体１２の四隅は曲線状周縁部３１として形成されている。また、蓋基体１２の四隅近傍位置で一対のリブ１４ａの間には、内方に突出するリング状の係合片３０が設けられ、図６および図１１に示すように、係合片３０には軸方向に切欠３０ａが形成され、係合片３０の端部の互いに対向する位置には係合爪３０ｂが設けられている。
一方、図９に示すように、底基体１３の外面、すなわち地面に接する底面のほぼ全面に亘って、多数の微小な凸部３３が形成されて摩擦面を構成し、また底基体１３の四隅は曲線状周縁部３５として形成され、さらに図１０および図１２に示すように、底基体１３の四隅近傍位置には、前記係合片３０に対応して内方へ突出するリング状の係合片３４が形成され、この係合片３４には、前記蓋基体１２の係合片３０の係合爪３０ｂと係合する係合爪３４ｂが設けられている。
【００２４】
このような構成のこの実施例では、底基体１３の内面に、蓋基体１２のリング状のリブ１４が安定に対接配置され、蓋基体１２の係合片３０と底基体１３の係合片３４とが、係合爪３０ｂ、３４ｂを互いに係合することにより蓋基体１２と底基体１３とが一体的に保持され、底基体１３に対して蓋基体１２が組み付けられた状態で、蓋基体１２の凹部１１にジャッキーベース１或いはパイプサポート５が、安定して保持され、足場を堅固で安全に構築することが可能になる。また、蓋基体１２の係合片３０と底基体１３の係合片３４とを互いに係合して蓋基体１２と底基体１３とを一体として保持されて運搬することにより、運搬時の荷崩れを防止することも可能である。
また、底基体１３の外面のほぼ全面に亘って形成された多数の微小な凸部３３によって、足場用保持敷板１０が地面や床等の支持体にしっかりとかつ安定して保持されるので、作業が安全かつ効率的に実施できる。
さらに、底基体１３上には蓋基体１２のリング状のリブ１４が対接配置されるので、足場用保持敷板の強度を大幅に向上させることが可能になり、底基板１３と蓋基体１２の四隅に、曲線状周縁部３５、３１がそれぞれ形成されているので、作業時に底基体１３や蓋基体１２が他部材や地面等に突き当たった場合に、隅部が破損したり欠けたり、或いは隅部によつて他部材等を損傷することが防止される。
【００２５】
なお、各実施例では、蓋基体および底基体を合成樹脂で製造した場合を説明したが、本発明は各実施例に限定されるものではなく、蓋基体および底基体をアルミニウムなどの軽金属で作成して強度や耐候性をさらに向上させることも可能である。
【００２６】
【発明の効果】
本発明の第１の実施態様によると、合成樹脂製または金属製の足場用敷板が、四角形板状の底基体と、表面に四角形の凹部が設けられた蓋基体とで構成され、ジャッキベースまたはパイプサポートのプレート部分が、この凹部に嵌合保持され、蓋基体の凹部位置は、底基体と複数のリブで対接され、蓋基体は、底基板との間に空間を形成して、底基板に組み付けられるので、ジャッキベースまたはパイプサポートのプレート部分を、釘打ちすることなく簡単かつ迅速に、足場用敷板の凹部に嵌合保持することが可能になる。また、足場用敷板は合成樹脂製または金属製で、腐敗せず、空間部が多く軽量化することが可能なので足場の組み立てに便利であり、運搬も能率的に行われ、施工コストを低減することが可能になる。
【００２７】
また、本発明の第２の実施態様によると、第１の実施態様で得られる効果に加えて、凹部が、２個の四角形が重畳して形成される八角形に形成されているので、異なる規格のジャッキベースまたはパイプサポートに共通に使用可能となり、現場での対応に便利であり、製造コストを低減することが可能になる。
【００２８】
さらに、本発明の第３の実施態様によると、第１の実施態様で得られる効果に加えて、凹部の外側領域の複数位置において、底基体と蓋基体間に設けられた係合手段によって、底基体と蓋基体とが互いに一体的に保持されるので、底基体と蓋基体が堅固に組み付けられ、足場をより安定に保持することが可能になり、運搬時の荷崩れも防止することが可能になる。
【００２９】
さらに、本発明の第４の実施態様によると、第１の実施態様で得られる効果に加えて、蓋基体が、リング状に形成された複数のリブで底基体と広い面積で対接するので、底基体に蓋基体が安定に保持され、足場の保持強度が増大し、より強固かつ安定な保持を行うことが可能になる。
【００３０】
そして、本発明の第５の実施態様によると、第１の実施態様で得られる効果に加えて、底基体と蓋基体との隅部が曲線状に形成されているので、作業時に底基体や蓋基体が他部材や地面等に突き当たった場合に、隅部が破損したり欠けたり、或いは他部材等を損傷することが防止される。
【図面の簡単な説明】
【図１】本発明の第１の実施例の構成を示す斜視図である。
【図２】図１の蓋基体のＡ−Ａ断面図である。
【図３】図１の底基体のＡ−Ａ断面図である。
【図４】本発明の第２の実施例の凹部の形状を示す平面図である。
【図５】本発明の第３の実施例の蓋基体の構成を示す側面説明図である。
【図６】同実施例の蓋基体の内面の構成を示す半分の底面図である。
【図７】図６の実施例の蓋基体の内面を示す平面図である。
【図８】同実施例の底基体の構成を示す側面説明図である。
【図９】同実施例の底基体の外面の構成を示す半分の底面図である。
【図１０】図９の裏面図である。
【図１１】同実施例の蓋基体の係合片の構成を示す図６のＢ−Ｂ断面図である。
【図１２】同実施例の底基体の係合片の構成を示す図１０のＢ−Ｂ断面図である。
【図１３】ジャッキーベースの構成を示す説明図である。
【図１４】パイプサポートの構成を示す説明図である。
【符号の説明】
３  プレート部分
１０  足場用保持敷板
１１  凹部
１２  蓋基体
１３  底基体
１４  リブ
１５  壁体
３０  係合片
３０ｂ  係合爪
３１  曲線状周縁部
３３  凸部
３４  係合片
３４ｂ  係合爪
３５  曲線状周縁部
【図１】
0003756221.tif 000002
【図２】
0003756221.tif 000003
【図３】
0003756221.tif 000004
【図４】
0003756221.tif 000005
【図５】
0003756221.tif 000006
【図６】
0003756221.tif 000007
【図７】
0003756221.tif 000008
【図８】
0003756221.tif 000009
【図９】
0003756221.tif 000010
【図１０】
0003756221.tif 000011
【図１１】
0003756221.tif 000012
【図１２】
0003756221.tif 000013
【図１３】
0003756221.tif 000014
【図１４】
0003756221.tif 000015